(57)【要約】【課題】空気を導入する隙間からの水の侵入を防止する。【解決手段】外表面に起立させた中空頸部を有し容器の口部に固定保持されるベースキャップと、このベースキャップの背面に固定保持され容器内の内容物と空気とをそれぞれ個別に吸引、加圧して排出する２つの排出経路を有するポンプと、ベースキャップの中空頸部をガイドにした押込みとその解除による復帰動作にてポンプを作動させ、各排出経路を経て排出させた内容物及び空気をそれぞれ相互に混合、泡状にして外部に噴出させるノズル付きの押圧ヘッドとを備えた泡噴出器において、押圧ヘッドに、ベースキャップの中空頸部を取り囲み下方に向けて開放するカバーを設け、このカバーの最下端内面と中空頸部の最上端外面のそれぞれに、押圧ヘッドの初期姿勢において互いに近接して極僅かな微小隙間を形成する環状凸部を設ける。【選択図】　　　　図１
2004121898.tif 000002
【特許請求の範囲】
【請求項１】
外表面に起立させた中空頸部を有し容器の口部に固定保持されるベースキャップと、このベースキャップの背面に固定保持され容器内の内容物と空気とをそれぞれ個別に吸引、加圧して排出する２つの排出経路を有するポンプと、ベースキャップの中空頸部をガイドにした押込みとその解除による復帰動作にてポンプを作動させ、各排出経路を経て排出させた内容物及び空気をそれぞれ相互に混合、泡状にして外部に噴出させるノズル付きの押圧ヘッドとを備えた泡噴出器であって、
押圧ヘッドに、ベースキャップの中空頸部を取り囲み下方に向けて開放するカバーを設け、このカバーの最下端内面と中空頸部の最上端外面のそれぞれに、押圧ヘッドの初期姿勢において互いに近接して極僅かな微小隙間を形成する環状凸部を設けたことを特徴とする泡噴出器。
【発明の詳細な説明】
【０００１】
【発明の属する技術分野】
本発明は、例えば洗顔料や整髪剤等をきめの細かい泡にして噴出するのに好適な化粧品、トイレタリー、食品その他の各種分野で使用される泡噴出器に関するものである。
【０００２】
【従来の技術】
洗顔料あるいは整髪剤等を充填した容器では、内容物の泡立て動作を省略して簡便な利用を図る観点から内容物を泡にして排出することができる泡噴出器を備えたものがある。
【０００３】
かかる泡噴出器は、容器の口部に固定保持されるベースキャップに、内容物の吸引、加圧、排出を行うピストンと、空気の吸引、加圧、排出を行うピストンをそれぞれ同心の直列配置にして組み入れた単一のシリンダからなるポンプが設けられており、該ベースキャップの表面に設置した押圧ヘッドの押し込みによりポンプの各ピストンを作動させ、内容物と空気をそれぞれ各シリンダ内で吸引、加圧してポンプ出側の合流空間で相互に混合し、メッシュリング等の発泡部材を通過させることで内容物を泡状にして外部に噴出させる構造になっている（例えば、特許文献１参照）。
【０００４】
【特許文献１】
特開平７−３１５４６３号公報。
【０００５】
ところで、従来の泡噴出器は、押圧ヘッドにそれと一体になる下向きに開放させたカバーを設けてベースキャップの中空頸部にて形成される吸気用の隙間からの水等の侵入を防止するようにしているが、内容物を泡にするために必要な量の空気を導入するには、中空頸部とカバーとの間に比較的大きな隙間を形成せざるを得ないことから、この隙間からの水の侵入が避けられない状況にある。
【０００６】
空気を導入する隙間から水が侵入すると空気を加圧するためのシリンダに水が溜まるため、このシリンダにて加圧される空気の送給量が減少し内容物との混合割合に変動をきたし、きめの細かい泡を噴出させることができない不都合がある。
【０００７】
【発明が解決しようとする課題】
本発明の課題は、水の侵入を防止しかつ必要十分な量の空気を供給できる新規な泡噴出器を提案するところにある。
【０００８】
【課題を解決するための手段】
本発明は、外表面に起立させた中空頸部を有し容器の口部に固定保持されるベースキャップと、このベースキャップの背面に固定保持され容器内の内容物と空気とをそれぞれ個別に吸引、加圧して排出する２つの排出経路を有するポンプと、ベースキャップの中空頸部をガイドにした押込みとその解除による復帰動作にてポンプを作動させ、各排出経路を経て排出させた内容物及び空気をそれぞれ相互に混合、泡状にして外部に噴出させるノズル付きの押圧ヘッドとを備えた泡噴出器であって、
押圧ヘッドに、ベースキャップの中空頸部を取り囲み下方に向けて開放するカバーを設け、このカバーの最下端内面と中空頸部の最上端外面のそれぞれに、押圧ヘッドの初期姿勢において互いに近接して極僅かな微小隙間を形成する環状凸部を設けたことを特徴とする泡噴出器である。
【０００９】
【発明の実施の形態】
以下、図面を用いて本発明をより具体的に説明する。
【００１０】
図１は本発明に従う泡噴出器の実施の形態をその断面で示した図である。図において１は容器の口部にねじ止めあるいはアンダーカットによって固定保持することができるベースキャップであり、このベースキャップ１はその外表面に起立させた中空頸部１ａを有している。
【００１１】
また、２はベースキャップ１の背面に固定保持され容器の口部内で垂下されるポンプである。このポンプ２は、容器内の内容物を吸引する吸引管３に連結する開口ｈを有する小径筒部２ａと、この小径筒部２ａに直列につながる大径筒部２ｂからなる単一のシリンダＳからなり、このシリンダＳの小径筒部２ａには、その内部において摺動可能なピストン２ｃと、このピストン２ｃを弾性支持するスプリング２ｄと、先端に弁体を有するポペット２ｅと、このポペット２ｅの弁体に係合する弁座を有しその先端でピストン２ｃを押圧する中空ステム２ｆが配置され、これによって内容物の吸引、加圧、排出機構が構成される。また、大径筒部２ｂには、中空ステム２ｆの移動開始と若干の時間差をもって移動開始するとともに該中空ステム２ｆ移動に合わせてその内部で摺動可能なピストン２ｇが配置され、これによって空気の吸引、加圧、排出機構が構成されていて、小径筒部２ａにおいて吸引、加圧された内容物は図中の矢印に従う排出経路Ａに沿ってポンプの出側（中空ステム２ｆの最上端）に排出される一方、大径筒部２ｂにおいて吸引、加圧された空気は図中の矢印に従う排出経路Ｂに沿ってポンプ２の出側に排出される。
【００１２】
また、４はピストン２ｇに設けられ該ピストン２ｂの吸気のときにのみ開口する弁、５はノズル付きの押圧ヘッドである。押圧ヘッド５は中空ステム２ｆの後端部とピストン２ｇの後端部に接触してそれらの押圧を可能とするとともにノズルと中空ステム２ｆを相互につなぐ通路を有しその通路内で内容物と空気の合流空間Ｐを区画形成する中空ロッド５ａが備えてられており、中空ロッド５ａの外側には、ベースキャップ１の中空頸部１ａを取り囲み下方に向けて開放するカバー５ｂが設けられている。
【００１３】
また、６は押圧ヘッド５の通路内に配置されるジェットリング、７はジェットリング６に隣接配置され空気が混在した内容物をきめの細かい泡にする発泡部材（メッシュリング）、８はポンプ２と押圧ヘッド５の相互間に配置される逆流防止用のソケット、９は押圧ヘッド５のカバー５ｂの最下端で嵌合し、内向きに凸となる環状凸部ｔを有するスペーサ、１０は中空頸部１ａの最上端外面にそれと一体的に設けられた外向きに凸となる環状凸部である。
【００１４】
図２は、一般的な構造になる泡噴出器の断面を示したものである。かかる構造の噴出器は、内容物と混合される空気は図中の矢印Ｃの経路をたどって大径筒部２ｂに導入されるため、中空頸部１ａと押圧ヘッド５のカバー５ｂとの間にはある程度の隙間を確保しておくことが不可欠であり、そのため、この隙間からの水の侵入は避けられない状況にある。
【００１５】
本発明に従う噴出器は、押圧ヘッド５が初期姿勢にあるときは、その要部を拡大して図３に示すように、カバー５ｂに嵌合させたスペーサ９の環状凸部ｔと中空頸部１ａの環状凸部１０によってその相互間は極僅かな微小隙間を形成するだけなので、外部から簡単に水が侵入することはない。押圧ヘッド５の押し込みによって内容物を噴出させる際には、その状況を図４に示す如く、カバー５ｂと中空頸部１ａとの間には十分な隙間δに保持されるので適量の空気が安定的に大径筒部２ｂに導入されることになる。
【００１６】
上掲図４に示した状態において押圧ヘッド５に付加した押圧力を解除すると、スプリング２ｄの復元力によりピストン２ｃ、中空ステム２ｆ、押圧ヘッド５、ピストン２ｇがそれぞれ押し戻され、この時、小径筒部２ａ内は負圧になるため吸引管３及び開口ｈを通して該小径筒部２ａ内に内容物が吸引され、大径筒部２ｂは吸気経路Ｃを通してその内部に空気が導入される。
【００１７】
押圧ヘッド５が図１に示すような初期姿勢に復帰したのち、再度、押圧ヘッド５を押し込むと、小径筒部２ａ内は加圧され所定の圧力に達するとポペット２ｅの弁体が開となり内容物が排出経路Ａを通りポンプ２の出側における合流空間Ｐへと排出される一方、大径筒部２ｂ内の空気は排出経路Ｂを通ってやはり合流空間Ｐへと排出されて気液混合状態でジェットリング６、発泡部材７を通り内容物が泡となってノズルから外部へと噴出され、このような押圧ヘッド５の押込みとその復帰動作により内容物は泡となって連続的に噴出される。
【００１８】
本発明では、カバー５ｂの最下端にスペーサ９を設けた例を示したが、カバー５ｂの成形にとくに問題がなければ、該スペーサ９はカバー５ｂと一体成形したものであってもよい。
【００１９】
【発明の効果】
本発明によれば、押圧ヘッドの初期姿勢でそのカバーとベースキャップの中空頸部との間を極僅かな微小隙間に維持できるので、空気の導入経路からの水の侵入を確実に防止でき、その結果として内容物と空気とを常に一定の割合で混合させることが可能であり、きめの細かい泡を安定的に噴出させることができる。
【図面の簡単な説明】
【図１】本発明に従う泡噴出器の実施の形態を示した図である。
【図２】一般的な構造になる泡噴出器の構成を示した図である。
【図３】図１に示した噴出器の要部を拡大して示した図である。
【図４】図１に示した泡噴出器において押圧ヘッドを押し込んだ状態を示した図である。
【符号の説明】
１　ベースキャップ
１ａ　中空頸部
２　ポンプ
２ａ　小径筒部
２ｂ　大径筒部
２ｃ　ピストン
２ｄ　スプリング
２ｅ　ポペット
２ｆ　中空ステム
２ｇ　ピストン
３　吸引管
４　弁
５　押圧ヘッド
５ａ　中空ロッド
５ｂ　カバー
６　ジェットリング
７　発泡部材（メッシュリング）
８　ソケット
９　スペーサ
１０　環状凸部
Ｓ　シリンダ
ｔ　環状凸部
Ａ　排出経路
Ｂ　排出経路
Ｐ　合流空間
【図１】
2004121898.tif 000003
【図２】
2004121898.tif 000004
【図３】
2004121898.tif 000005
【図４】
2004121898.tif 000006